(57)【要約】【課題】  車両移動に際し、ロック機構によるロックの解除し忘れを防ぐX線診断装置を提供する。【解決手段】  被検体へX線を照射するX線管と、X線管から照射され前記被検体を透過したX線を検出するX線検出器と、X線検出器により検出されたX線を用いてX線画像を生成す画像生成部と、X線検出器に対する振動衝撃を抑制するためのX線検出器防振機構と、X線検出器防振機構による前記抑制を制限するロック機構の状態を検出するロック機構状態検出部と、ロック機構状態検出部による検出結果と当該X線診断装置の主電源の状態に基づいてロック機構の状態を操作者へ警告する警告通知部と、を備える。【選択図】          図3
2016171876.tif 000002
【特許請求の範囲】
【請求項１】
被検体へＸ線を照射するＸ線管と、前記Ｘ線管から照射され前記被検体を透過したＸ線を検出するＸ線検出器と、前記Ｘ線検出器により検出されたＸ線を用いてＸ線画像を生成す画像生成部と、前記Ｘ線検出器に対する振動衝撃を抑制するためのＸ線検出器防振機構と、前記Ｘ線検出器防振機構による前記抑制を制限するロック機構の状態を検出するロック機構状態検出部と、前記ロック機構状態検出部による検出結果と主電源の状態に基づいて前記ロック機構の状態を操作者へ警告する警告通知部と、を備えること
を特徴とするＸ線診断装置。
【請求項２】
前記警告通知部は、前記主電源がＯＮで前記ロック機構によるロックが解除中、及び／又は前記主電源がＯＦＦで前記ロック機構によるロックが実施中、の場合、当該ロック状態を操作者へ通知するように構成されていること、を備えること
を特徴とする請求項１に記載のＸ線診断装置。
【発明の詳細な説明】
【技術分野】
【０００１】
本発明は、車両に積載し、被検体のX線画像を取得するためのX線診断装置に関し、特に、当該X線診断装置が有するX線検出部への車両移動時による衝撃緩和に関する。
【背景技術】
【０００２】
各施設を巡回し被写体のX線画像を取得する場合、車両に積載したX線診断装置を用いている。このX線診断装置に備えられているX線検出器は機構上振動に弱い。そのため、特許文献1では、弾性部材を有した防振機構をX線診断装置に設けることで車両移動時の振動からX線検出器を守る方法が提案されている。また、特許文献1には、防振機構の働きを有効/無効にするロック機構を用いて、車両移動時には当該ロック機構によるロックを解除することで車両移動により生じるX線検出器への振動を抑制し、また、X線画像取得時には当該ロック機構によるロックを行うことでX線検出器の位置を固定することについて記載されている。
【先行技術文献】
【特許文献】
【０００３】
【特許文献１】特開2005-224532号公報
【発明の概要】
【発明が解決しようとする課題】
【０００４】
しかしながら、特許文献1に記載の装置では、ロック機構によるロックを解除せずに車両移動を開始してしまう虞がある。上記問題を鑑みて、本発明は、車両移動に際し、ロック機構によるロックの解除し忘れを防ぐX線診断装置を提供することを目的とする。
【課題を解決するための手段】
【０００５】
前記課題を解決するために、本発明に係るX線診断装置は、被検体へX線を照射するX線管と、X線管から照射され前記被検体を透過したX線を検出するX線検出器と、X線検出器により検出されたX線を用いてX線画像を生成する画像生成部と、X線検出器に対する振動衝撃を抑制するためのX線検出器防振機構と、X線検出器防振機構による前記抑制を制限するロック機構の状態を検出するロック機構状態検出部と、ロック機構状態検出部による検出結果と主電源の状態に基づいてロック機構の状態を操作者へ警告する警告通知部と、を有する。
【発明の効果】
【０００６】
本発明によれば、車両移動に際し、ロック機構によるロックの解除し忘れを防ぐX線診断装置を提供することができる。
【図面の簡単な説明】
【０００７】
【図１】本発明のX線診断装置の概略構成図
【図２】本発明の防振機構の概略構成図
【図３】本発明の警告通知部を説明するための図
【図４】本発明のX線診断装置の動作順序を示したフローチャート図。
【発明を実施するための形態】
【０００８】
以下、添付図面に従って本発明のX線診断装置について説明する。
【０００９】
なお、発明の実施形態を説明するための全図において、同一機能を有するものは同一符号を付け、その繰り返しの説明は省略する。図1は、本発明のX線診断装置1の概略構成を示した図である。なお、本発明のX線診断装置1を積載した車両については特に図示していない。また、図2は発明の防振機構の概略構成を示した図である。また、図3は本発明の警告通知部を説明するための図である。また、図4は本発明のX線診断装置1の動作順序を示したフローチャート図である。
【００１０】
図1に示すように本発明のX線診断装置1は、X線管2aから被検体(特に図示しない)へ照射され、該被検体を透過したX線を検出するX線検出器2を備えている。また、X線診断装置1はX線検出器2により検出されたX線を用いてX線画像を生成する画像生成部(特に図示しない)を有している。X線検出器2はその構成部材の特性から振動衝撃に弱い。
【００１１】
そこで、本発明のX線診断装置1は図2(a)に示すような移動時のX線検出器2に対する振動衝撃を抑制するためのX線検出器防振機構3を備えている。図2(b)は図2(a)に示すX線検出器防振機構3を上部からみた場合の図である。X線検出器防振機構3は、防振機構構成部品5、防振機構構成部品6、防振機構構成部品7、を有し構成されている。また、これらはX線検出器収納体4の中に収納されている。防振機構構成部品5はX線検出器収納体4の内側底面に固定されており、防振機構構成部品5の上面には防振機構構成部品6が固定されている。
【００１２】
また、X線検出器2は防振機構構成部品7により固定されており、防振機構構成部品7のX線検出器2取り付け部にはピッチの異なる複数の穴部が備えられており、サイズの異なるX線検出器2を固定可能なように構成されている。
【００１３】
また、防振機構構成部品7は弾性体9(例えばスプリング)を介して防振機構構成部品5及び防振機構構成部品6及びX線検出器収納体4に支持されている。具体的には、防振機構構成部品6、防振機構構成部品7間には伸縮方向がX方向となるように弾性体9が設けられ、防振機構構成部品5、防振機構構成部品7間には伸縮方向がY方向となるように弾性体9が設けられ、防振機構構成部品7、X線検出器収納体4間には伸縮方向がZ方向となるように弾性体9が設けられている。これにより複数方向からのX線検出器2に対する振動衝撃を抑制することができる。
【００１４】
また、X線検出器防振機構3は、自身の働き、つまり、X線検出器2に対する振動衝撃を抑制する働きを制限するための2本のピン形状をしたロック機構8を有しており、防振機構構成部品7は、このピン形状をしたロック機構8が防振機構構成部品7に設けられた穴部(特に図示しなない)を介して機構構成部品6の凹部(特に図示しない)に挿入することで防振機構構成部品5に固定される。これにより防振機構構成部品7に支持されたX線検出器2の位置を固定することができる。
【００１５】
なお、防振機構構成部品7のX軸まわりの回転防止の為に、2本のピン形状をしたロック機構8は、それぞれY方向にずらして備えられている。
【００１６】
また、ロック機構8の挿抜は、X線検出器収納体4の外側に設けられた操作器10により行うことができる。車両移動時には操作器10を用いてロック機構8によるロックを解除することで車両移動により生じるX線検出器2への振動衝撃が抑制され、X線画像取得時には操作器10を用いてロック機構8によるロックを行うことでX線検出器2の位置を固定することができる。
【００１７】
次に図3を用いて本発明の特徴部である警告通知部について説明する。
【００１８】
本発明のX線診断装置1は当該装置全体の主電源をON／OFFするための主電源スイッチ301と、ロック機構8によるロックがされているか否かを検出するためのロック機構状態検出部302と、主電源スイッチ301のON／OFF状態と、ロック機構状態検出部302により検出されたロック機構8によるロックの有無と、により操作者へ警告を行う警告通知部303を備えている。
【００１９】
操作者への通知は音声でも映像でもよい。
【００２０】
警告通知部303は主電源がONでロック解除中、及び／又は、主電源がOFFでロック実施中、の場合に当該ロック状態を操作者へ通知するように構成されている。これにより、X線画像取得後、主電源をOFFにして他の施設などへ移動する場合、ロックが解除されていなければその旨が操作者へ通知されるので、ロックが実施された状態での移動をさけることができる。また、X線画像取得時においては、主電源がONとなっているのでその場合にロックが実施されていなければその旨が操作者へ通知されるので、X線画像取得時におけるX線検出器2の不要な位置ズレを防ぐことができる。
【００２１】
次に図4を用いて本発明のX線診断装置1の動作順序について説明する。
【００２２】
ステップS401では、警告通知部303が、主電源スイッチ301がON／OFFどちらの状態になっているかを検出する。主電源スイッチ301がONになっていた場合は
ステップS402に進み、主電源スイッチ301がOFFになっていた場合はステップS403に進む。
【００２３】
ステップS402では、ロック機構状態検出部302によりロック機構8によるロックが実施されているか解除されているかが判定される。ロックが実施されていると判定した場合はステップS401に戻り、ロックが解除されていると判定した場合はステップS404に進む。
【００２４】
ステップS404では、警告通知部303がロック解除中であることを操作者へ通知する。
【００２５】
ステップS403では、ロック機構状態検出部302によりロック機構8によるロックが実施されているか解除されているかが判定される。ロックが解除されていると判定した場合はステップS401に戻り、ロックが実施されていると判定した場合はステップS405に進む。
【００２６】
ステップS405では、警告通知部303がロック実施中であることを操作者へ通知する。
【００２７】
以上、本発明のX線診断装置1は、主電源スイッチ301の状態と、ロック機構8によるロックの状態から、操作者へロック状態を通知する警告通知部303を備えているので、車両移動時にロックの解除し忘れを防ぐことができる。
【符号の説明】
【００２８】
1  X線診断装置、2  X線検出器、2a  X線管、3  X線検出器防振機構、4  X線検出器収納体、5  防振機構構成部品、6  防振機構構成部品、7  防振機構構成部品、8  ロック機構、9  弾性体、10  操作器、301  主電源スイッチ、302  ロック機構状態検出部、303  警告通知部
【図１】
2016171876.tif 000003
【図２】
2016171876.tif 000004
【図３】
2016171876.tif 000005
【図４】
2016171876.tif 000006